(57)【要約】【課題】広告のための表示面積をただ１つの広告だけに専有させることなく、複数の広告媒体を時間差をおいて切替え表示させることができるようにして、広告のための表示面積を有効に使用することを目的とし、これによって広告を低コストに提供できる。【解決手段】それぞれが正逆回転して巻取り又は繰り出し可能とした一対の平行する巻取りローラー３，４を設け、複数の広告媒体を表示したシート２３の一方を一方の巻取りローラー３，４に巻き込み、シート２３の他方を他方の巻取りローラー３，４に巻き込み、複数の広告媒体を表示したシート２３を展張状態に保持し、一対の巻取りローラー３，４を巻き取り又は繰り出し作動することによって異なる広告媒体を切替え表示可能としてある。【選択図】　　図１
2004004776.tif 000002
【特許請求の範囲】
【請求項１】
それぞれが正逆回転して巻取り又は繰り出し可能とした一対の平行する巻取りローラーを設け、複数の広告媒体を表示したシートの一方を一方の巻取りローラーに巻き込み、シートの他方を他方の巻取りローラーに巻き込み、複数の広告媒体を表示したシートを展張状態に保持し、一対の巻取りローラーを巻き取り又は繰り出し作動することによって異なる広告媒体を切替え表示可能としてある広告装置。
【請求項２】
一対の巻取りローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と巻取りローラーの両端間を無端ベルト又は無端チェーンを介して回転力を伝達し、両巻取りローラーを同調回転するようにした上記請求項１に記載の広告装置。
【請求項３】
それぞれの巻取りローラーに対向して、巻き取られているシートを弾圧する撓み止め弾圧ローラーを設けてある上記請求項１又は２に記載の広告装置。
【請求項４】
シートの印刷面を内側にして巻取りローラーに巻き取るようにしてある上記請求項１乃至３の何れかに記載の広告装置。
【請求項５】
それぞれの巻取りローラーの両端に一対の巻掛け伝動装置を設け、該一対の巻掛け伝動装置の間に弾性体を介してシートを張設してある上記請求項１乃至４の何れかに記載の広告装置。
【請求項６】
それぞれが正逆回転して繰り入れ又は繰り出し可能とした一対の平行する駆動ローラーを設け、それぞれの駆動ローラーの両端に一対の巻掛け伝動装置を設けると共に、該一対の巻掛け伝動装置の間に弾性体を介して複数の広告媒体を表示したシートを張設してあり、且つ、このシートの一方を一方の駆動ローラーに繰り入れ、シートの他方を他方の駆動ローラーに繰り入れ、複数の広告媒体を表示したシートを展張状態に保持し、一対の駆動ローラーを繰り入れ又は繰り出し作動することによって異なる広告媒体を切替え表示可能としてある広告装置。
【請求項７】
一対の駆動ローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と駆動ローラーの両端間を無端ベルト又は無端チェーンを介して回転力を伝達し、両駆動ローラーを同調回転するようにした上記請求項６に記載の広告装置。
【請求項８】
それぞれの駆動ローラーに対向して、駆動されているシートを弾圧する撓み止め弾圧ローラーを設けてある上記請求項６又は７に記載の広告装置。
【請求項９】
それぞれの巻取りローラー又は駆動ローラーの外側前方位置にシート案内ロールを平行して設け、これらシート案内ロールを介して展張してある上記請求項１乃至８の何れかに記載の広告装置。
【請求項１０】
それぞれの巻掛け伝動装置をガイドするガイド部材を設けた上記請求項５乃至９の何れかに記載の広告装置。
【請求項１１】
前記巻掛け伝動装置がチェーンとスプロケットからなる上記請求項５乃至１０の何れかに記載の広告装置。
【発明の詳細な説明】
【０００１】
【発明の属する技術分野】
本発明は、広告媒体を表示したシートを展張する広告装置に関し、このシートを一対の巻取りローラーに巻き取って、巻取りローラーに巻き取り又は巻取りローラーから繰り出すことによって、異なる広告媒体を切替え表示する広告装置に関する。
【０００２】
【従来の技術】
広告媒体を表示したシートを展張する広告装置は公知である。このシートを展張する広告装置は、ビルの壁面又は屋上に設置した広告装置、トラックの車体表面全域に設置した広告装置等大型の広告装置が多い。
【０００３】
【発明が解決しようとする課題】
上記公知の広告媒体を表示したシートを展張する大型の広告装置は、シートの展張状態を固定し、ただ１つの広告媒体を表示して広告しているだけである。ビルの壁面又は屋上あるいは車体表面等の大きい表示面積を有する広告装置にあって、ただ１つの広告媒体を表示するのでは、広告のための大きい表示面積を有効に使用しているとは云い難いという課題がある。
また従前では、この大きい表示面積に異なる広告媒体を表示するためには、異なる広告媒体を表示した別のシートを用意し、シートを取り替えて展張しなければならず、コスト高になるという課題がある。
本発明は、この広告のための表示面積をただ１つの広告だけに専有させることなく、複数の広告媒体を時間差をおいて切替え表示させることができるようにして、広告のための表示面積を有効に使用することを目的とし、これによって広告を低コストに提供できる新規な広告装置を提供するものである。
【０００４】
【課題を解決するための手段】
上記の課題を解決するために、本発明広告装置は、それぞれが正逆回転して巻き取り又は繰り出し可能とした一対の平行する巻取りローラーを設け、複数の広告媒体を表示したシートの一方を一方の巻取りローラーに巻き込み、シートの他方を他方の巻取りローラーに巻き込み、複数の広告媒体を表示したシートを展張状態に保持し、一対の巻取りローラーを巻き取り又は繰り出し作動することによって異なる広告媒体を切替え表示可能としてある。即ち、これによって１つの広告装置で複数の異なる広告媒体を切り替えて表示でき、広告装置の表示面積を有効に使用でき、それだけ広告を低コストに提供できる。
【０００５】
さらに、本発明広告装置は、一対の巻取りローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と巻取りローラーの両端間を無端ベルト又は無端チェーンを介して回転力を伝達し、両巻取りローラーを同調回転するようにしたものである。即ち、これにより比較的大型の広告装置のシートの展張状態をどこかに偏ることなく全面を平均して展張できる。
【０００６】
また、本発明装置は、それぞれの巻取りローラーに対向して、巻き取られているシートを弾圧する撓み止め弾圧ローラーを設けてある。即ち、これによっても、シートの撓みを防止し、シートの良好な展張状態が得られる。
さらに、本発明装置では、シートの印刷面を内側にして巻取りローラーに巻き取るようにしてある。即ち、これによりシートの印刷面を保護することができる。
加えて、本発明装置は、それぞれの巻取りローラーの両端に一対の巻掛け伝動装置を設け、該一対の巻掛け伝動装置の間に弾性体を介してシートを張設してある。即ち、これにより一対の巻掛け伝動装置間方向のシートの撓みを防止して、シートの良好な展張状態が得られる。
【０００７】
また、本発明広告装置は、それぞれが正逆回転して繰り入れ又は繰り出し可能とした一対の平行する駆動ローラーを設け、それぞれの駆動ローラーの両端に一対の巻掛け伝動装置を設けると共に、該一対の巻掛け伝動装置の間に弾性体を介して複数の広告媒体を表示したシートを張設してあり、且つ、このシートの一方を一方の駆動ローラーに繰り入れ、シートの他方を他方の駆動ローラーに繰り入れ、複数の広告媒体を表示したシートを展張状態に保持し、一対の駆動ローラーを繰り入れ又は繰り出し作動することによって異なる広告媒体を切替え表示可能としてある。即ち、これによって１つの広告装置で複数の異なる広告媒体を切り替えて表示でき、広告装置の表示面積を有効に使用できるのみならず、シートの撓みを防止して、シートの良好な展張状態が得られる。
【０００８】
さらに、本発明広告装置は、一対の駆動ローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と駆動ローラーの両端間を無端ベルト又は無端チェーンを介して回転力を伝達し、両駆動ローラーを同調回転するようにしたものである。即ち、これにより比較的大型の広告装置のシートの展張状態をどこかに偏ることなく全面を平均して展張できる。
【０００９】
また、本発明装置は、それぞれの駆動ローラーに対向して、駆動されているシートを弾圧する撓み止め弾圧ローラーを設けてある。即ち、これによっても、シートの撓みを防止し、シートの良好な展張状態が得られる。
さらに、本発明装置は、それぞれの巻取りローラー又は駆動ローラーの外側前方位置にシート案内ロールを平行して設け、これらシート案内ロールを介して展張してある。即ち、これにより一対の巻取りローラー又は駆動ローラー間より大きい幅の表示面積を得ることができる。
【００１０】
さらに、本発明装置は、それぞれの巻掛け伝動装置をガイドするガイド部材を設けてある。即ち、これにより巻掛け伝動装置が弾性体の弾性力によってシート側に歪むことを防止できる
加えて、本発明装置では、前記巻掛け伝動装置がチェーンとスプロケットからなる。即ち、これによって、巻掛け伝動装置に滑りを生じることなく伝動することができ、偏ることなく均等にシートを回転させることができる。
【００１１】
【発明の実施の形態】
発明の実施の形態を図面に示した実施例を参照して説明する。また、実施例はビルの壁面又は屋上あるいはトラックの荷台上に設置される。
図１乃至図３に示す実施例において、本発明広告装置は、ビルの壁面又は屋上あるいはトラック車体荷台上に固設した枠組に装備される。図中１が主枠組で、幅薄の形状からなり、大型トラックの荷台両側上に組立てられる。この枠組はステンレススチールの角パイプを直方体状に枠組みして構成してあり、図示実施例では横幅が８１００ｍｍ、高さが２６５０ｍｍ及び奥行きが６２０ｍｍ程である。この主枠組１に本発明広告装置の駆動機構が組み込まれている。また、この主枠組１には、この主枠組１より僅かに前方に張り出す副枠組２を固設してあり、この副枠組によって広告媒体を表示したシートを展張装備するようにしてある。
【００１２】
図１乃至図３に示すように、上記主枠組１の上下の内側にシートの端を巻き込む一対の平行する上巻取りローラー３及び下巻取りローラー４を正逆回転可能に軸支してある。そのために主枠組１の左右両端上部に下向きの軸受部材５を固設して、これに上巻取りローラー３の両端を軸支してある。また、主枠組１の左右両端下部に前後方向に指向する軸受梁７を設け、この軸受梁７上に軸受部材６を設けて、これに下巻取りローラー４の両端を軸支してある。
【００１３】
上記平行する一対の上巻取りローラー３及び下巻取りローラー４の内側にそれぞれ両端同調回転シャフト８，９を主枠組１に回転可能に軸支してある。図中１０が該両端同調用回転シャフト８，９を同調して回転駆動する正逆回転駆動モーターで、両端同調用回転シャフト８，９の長手方向中央位置であって両回転シャフト８，９間位置に固設してある。この駆動モーター１０の回転力をＴ型ギヤボックス１１を介して左右に軸支された仲介軸１２を正逆回転するようにしてある。そして、この仲介軸１２とそれぞれの両端同調用回転シャフト８，９との間に無端ベルト１３，１４又は無端チェーンを架設してあり、これによって駆動力を伝達して両両端同調用回転シャフト８，９を同調して回転するようにしてある。同様に、上の両端同調用回転シャフト８の両端と上巻取りローラー３の両端中心軸とを無端ベルト１５によって連繋して、上巻取りローラー３を回転作動するようにしてある。同じく、下の両端同調用回転シャフト９の両端と下巻取りローラー４の両端中心軸とを無端ベルト１６によって連繋して、下巻取りローラー４を回転作動するようにしてある。そして上記構造によって上下巻取りローラー３，４の両端を同調して回転するようにしてある。
【００１４】
図３に示すように、上記上巻取りローラー３及び下巻取りローラー４には後述する広告媒体を表示したシートの端を巻き込んであり、一方の巻取りローラーがシートを巻き込むと他方の巻取りローラーがシートを繰り出すようにしてある。このシートの巻き込み及び繰り出しによってシートが撓むのを防止するため、それぞれの巻取りローラー３，４の中心軸には無励磁ブレーキ１７，１８を設けてあるとともに、それぞれの巻取りローラー３，４に対向して複数の撓み止め弾圧ローラー１９，２０を設けてある。これら撓み止め弾圧ローラー１９，２０はそれぞれ図に示すように３本のローラーを組として支持し、バネ２１，２２によって弾力支持されている。
【００１５】
図中２３が幅広のシートで広告媒体を印刷してあり、上記したように上下の巻取りローラー３，４に巻き取られて展張してあるが、この巻取りローラー３，４にはシート２３の印刷面が内側になるようにして巻き取ってある。上記前方に張り出して固設した副枠組２の上下位置にそれぞれシート案内ロール２４，２５を設けてある。このシート案内ロール２４，２５は上記上下の巻取りローラー３，４より外側であってしかも前方に位置して配置してあり、上下一対の巻取りローラー３，４間の幅より大きい幅のシートを展張し、広幅の広告が表示できるようにしてある。そして、副枠組２内に光源を設けて、内照式にして広告媒体を明るく表示し、夜間の広告もできるようにしてある。
広告媒体を表示したシート２３には複数の広告媒体を表示してあり、シートを巻き取り移動することによって異なる広告媒体を切替え表示できるようにしてある。そのため、各広告媒体が確実に前面に位置付くよう、両端同調用回転シャフト８，９に位置決めクラッチ２６，２７を設けてある。
【００１６】
上記の通りの構成からなる本発明広告装置の作動につき説明する。先ず、正逆回転駆動モーター１０を駆動すると、その回転力がＴ型ギヤボックス１１、仲介軸１２、無端ベルト１３，１４を介して両端同調用回転シャフト８，９を同調回転する。そして、この回転力が無端ベルト１５，１６を介して上下巻取りローラー３，４を同調して回転し、これら巻取りローラー３，４に巻き込んであるシート２３を巻き取りあるいは繰り出し作動してシート２３を移動する。
このシート２３の移動は、無励磁ブレーキ１７，１８及び撓み止め弾圧ローラー１９，２０の作用により撓みなく繰り出し、巻き込みがなされ、シートの確実な展張が得られる。そしてクラッチ２６，２７の作用により、それぞれの広告媒体が確実に前面に位置付けられる。
【００１７】
次に、図４乃至図７に示す実施例について説明する。
図４乃至図７に示す実施例において、本発明広告装置は、それぞれが正逆回転して繰り入れ又は繰り出し可能とした一対の平行する駆動ローラー３１，３２を設け、それぞれの駆動ローラー３１，３２の両端に一対の巻掛け伝動装置３９，３９を設けると共に、該一対の巻掛け伝動装置３９，３９の間に弾性体４５を介して複数の広告媒体を表示したシート２３を張設してあり、且つ、このシート２３の一方を一方の駆動ローラー３１に繰り入れ、シート２３の他方を他方の駆動ローラー３２に繰り入れ、複数の広告媒体を表示したシート２３を展張状態に保持し、一対の駆動ローラー３１，３２を繰り入れ又は繰り出し作動することによって異なる広告媒体を切替え表示可能としてある。
【００１８】
図５及び図６に示すように、主枠組１の後方に副枠組３０を固設してあり、この副枠組３０に駆動ローラー３１，３２を設けてある。
副枠組３０の左右両端上部に前後方向に指向する軸受梁３３を設け、この軸受梁３３上に軸受部材５を設けて、これに上駆動ローラー３１の両端を軸支してある。また、副枠組３０の左右両端中央部に前後方向に指向する軸受梁３４を設け、この軸受梁３４上に軸受部材６を設けて、これに下駆動ローラー３２の両端を軸支してある。
【００１９】
上記平行する一対の上駆動ローラー３１及び下駆動ローラー３２の内側にそれぞれ両端同調回転シャフト８，９を主枠組１に回転可能に軸支してある。正逆回転駆動モーター１０は、両端同調用回転シャフト８，９の長手方向中央位置であって両回転シャフト８，９と向かい合う位置に固設してある。この駆動モーター１０の回転力をＴ型ギヤボックス１１を介して左右に軸支された仲介軸１２を正逆回転するようにしてある。そして、この仲介軸１２と上側の両端同調用回転シャフト８との間に無端ベルト１３又は無端チェーンを架設してあり、これによって両端同調用回転シャフト８に駆動力を伝達するようにしてある。
【００２０】
一方、下側の両端同調用回転シャフト９の上側には、該回転シャフト９と平行に仲介軸３５を主枠組１に回転可能に軸支してある。この仲介軸３５と上記仲介軸１２との間に無端ベルト１４又は無端チェーンを架設してあり、これによって仲介軸３５に駆動力を伝達するようにしてある。また、仲介軸３５と両端同調用回転シャフト９には、それぞれ歯数の等しい伝動歯車３６，３７を噛み合わせて設けてあり、伝動歯車３６，３７によって両端同調用回転シャフト９に駆動力を伝達すると共に、両端同調用回転シャフト９が両端同調用回転シャフト８と反対方向に回転するようにしてある。
【００２１】
同様に、上側の両端同調用回転シャフト８の両端と上駆動ローラー３１の両端中心軸とを無端ベルト１５によって連繋して、上駆動ローラー３１を回転作動するようにしてある。同じく、下側の両端同調用回転シャフト９の両端と下駆動ローラー３２の両端中心軸とを無端ベルト１６によって連繋して、下駆動ローラー３２を回転作動するようにしてある。そして上記構造によって上下駆動ローラー３１，３２の両端を同調して回転させると共に、上駆動ローラー３１と下駆動ローラー３２が反対方向に回転するようにしてある。
【００２２】
図４及び図７に示すように、巻掛け伝動装置３９は、チェーン４０と、上下駆動ローラー３１，３２の両端に固設したスプロケット４１，４２と、シート案内ロール２４，２５の両端に固設したスプロケット４３，４４とからなる。
シート２３の両側端部には、一定の間隔で鳩目孔４７を設けてあると共に、これらの鳩目孔４７には紐状の弾性体４５を挿通してある。一方、チェーン４０には、掛け孔４９を有する複数のブラケット４８を設けてあり、各鳩目孔４７間において掛け具５０によって紐状の弾性体４５を掛け孔４９に引っ掛けてある。このように、シート２３の側端部とチェーン４０に紐状の弾性体４５を交互に引っ掛けることにより、均等に弾性力を付与してシート２３を一対の巻掛け伝動装置３９，３９の間に張設することができる。
図示の実施例において、紐状の弾性体４５はゴム、合成樹脂等のテンションロープであるが、これに限定されるものでなく弾力性を有する紐や綱等を使用することもできる。また、弾性体４５は、図示の実施例のように紐状の弾性体に限らず、複数の環状弾性体をそれぞれ鳩目孔４７と掛け孔４９に引っ掛けた構成とすることも可能である。
【００２３】
図６に示すように、上駆動ローラー３１の前方には、シート案内ロール３８を主枠組１に軸支してあり、シート２３の一方をシート案内ロール３８の下側を通し、上駆動ローラー３１の上側を通して繰り入れて、上駆動ローラー３１の後方にシート２３を垂らすようにしてある。また、シート案内ロール３８の両端には、スプロケットを固設してあり、チェーン４０によって駆動されるようにしてある。同様に、シート２３の他方をシート案内ロール２５の下側を通し、下駆動ローラーの上側を通して繰り入れて、下駆動ローラー３２の後方にシート２３を垂らすようにしてある。
【００２４】
上記上駆動ローラー３１及び下駆動ローラー３２によって、一方の駆動ローラーがシートを繰り入れると他方の駆動ローラーがシートを繰り出すようにしてある。このシートの繰り入れ及び繰り出しによってシートが撓むのを防止するため、図４に示すように、それぞれの駆動ローラー３１，３２の中心軸には無励磁ブレーキ１７，１８を設けてあるとともに、それぞれの駆動ローラー３１，３２に対向して複数の撓み止め弾圧ローラー１９，２０を設けてある。これら撓み止め弾圧ローラー１９，２０はそれぞれ図に示すように３本のローラーを組として支持し、バネ２１，２２によって弾力支持されている。
【００２５】
図４において、４６は、巻掛け伝動装置３９のチェーン４０をガイドするガイド部材であり、副枠組２の前面に設けてある。ガイド部材４６は断面Ｌ字状をなし、チェーン４０が紐状の弾性体４５の弾性力によって広告シート４側に曲がらないようにガイドしてある。
なお、他の構成は、上記図１乃至図３に示す実施例の構成と同様である。
【００２６】
上記の通りの構成からなる本発明広告装置の作動につき説明する。先ず、正逆回転駆動モーター１０を駆動すると、その回転力がＴ型ギヤボックス１１、仲介軸１２，３５、無端ベルト１３，１４を介して両端同調用回転シャフト８，９を反対方向に同調回転する。そして、この回転力が無端ベルト１５，１６を介して上下駆動ローラー３１，３２を同調して反対方向に回転し、これら駆動ローラー３１，３２の後方に垂らしてあるシート２３を繰り入れ或いは繰り出し作動してシート２３を移動する。
このシート２３の移動は、無励磁ブレーキ１７，１８及び撓み止め弾圧ローラー１９，２０の作用により撓みなく繰り出し、繰り入れがなされ、シートの確実な展張が得られる。そしてクラッチ２６，２７の作用により、それぞれの広告媒体が確実に前面に位置付けられる。
【００２７】
【発明の効果】
本発明広告装置は、それぞれが正逆回転して巻き取り又は繰り出し可能とした一対の平行する巻取りローラーを設け、複数の広告媒体を表示したシートの一方を一方の巻取りローラーに巻き込み、シートの他方を他方の巻取りローラーに巻き込み、複数の広告媒体を表示したシートを展張状態に保持し、一対の巻取りローラーを巻き取り又は繰り出し作動することによって異なる広告媒体を切替え表示可能としてあるから、１つの広告装置で複数の異なる広告媒体を切り替えて表示でき、広告装置の表示面積を有効に使用でき、それだけ広告を低コストに提供できる。
【００２８】
さらに、本発明広告装置は、一対の巻取りローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と巻取りローラーの両端間を無端ベルト又は無端チェーンを介して回転力を伝達し、両巻取りローラーを同調回転するようにしたものであるから、比較的大型の広告装置のシートの展張状態をどこかに偏ることなく全面を平均して展張できる。
【００２９】
また、本発明装置は、それぞれの巻取りローラーに対向して、巻き取られているシートを弾圧する撓み止め弾圧ローラーを設けてあるから、これによっても、シートの撓みを防止し、シートの良好な展張状態が得られる。
さらに、本発明装置では、シートの印刷面を内側にして巻取りローラーに巻き取るようにしてあるから、シートの印刷面を保護することができる。
加えて、本発明装置は、それぞれの巻取りローラーの両端に一対の巻掛け伝動装置を設け、該一対の巻掛け伝動装置の間に弾性体を介してシートを張設してあるから、一対の巻掛け伝動装置間方向のシートの撓みを防止して、シートの良好な展張状態が得られる。
【００３０】
また、本発明広告装置は、それぞれが正逆回転して繰り入れ又は繰り出し可能とした一対の平行する駆動ローラーを設け、それぞれの駆動ローラーの両端に一対の巻掛け伝動装置を設けると共に、該一対の巻掛け伝動装置の間に弾性体を介して複数の広告媒体を表示したシートを張設してあり、且つ、このシートの一方を一方の駆動ローラーに繰り入れ、シートの他方を他方の駆動ローラーに繰り入れ、複数の広告媒体を表示したシートを展張状態に保持し、一対の駆動ローラーを繰り入れ又は繰り出し作動することによって異なる広告媒体を切替え表示可能としてあるから、１つの広告装置で複数の異なる広告媒体を切り替えて表示でき、広告装置の表示面積を有効に使用できるのみならず、シートの撓みを防止して、シートの良好な展張状態が得られる。
【００３１】
さらに、本発明広告装置は、一対の駆動ローラーの内側にそれぞれ両端同調用回転シャフトを設け、それぞれの両端同調用回転シャフトの長手方向中央位置であってシャフト間位置に正逆回転駆動モーターを設け、この正逆回転駆動モーターの回転力を無端ベルト又は無端チェーンを介して両端同調用回転シャフトに伝達し、これら両端同調用回転シャフトの両端と駆動ローラーの両端間を無端ベルト又は無端チェーンを介して回転力を伝達し、両駆動ローラーを同調回転するようにしたものであるから、比較的大型の広告装置のシートの展張状態をどこかに偏ることなく全面を平均して展張できる。
【００３２】
また、本発明装置は、それぞれの駆動ローラーに対向して、駆動されているシートを弾圧する撓み止め弾圧ローラーを設けてあるから、これによっても、シートの撓みを防止し、シートの良好な展張状態が得られる。
さらに、本発明装置は、それぞれの巻取りローラー又は駆動ローラーの外側前方位置にシート案内ロールを平行して設け、これらシート案内ロールを介して展張してあるから、一対の巻取りローラー又は駆動ローラー間より大きい幅の表示面積を得ることができる。
【００３３】
さらに、本発明装置は、それぞれの巻掛け伝動装置をガイドするガイド部材を設けてあるから、巻掛け伝動装置が弾性体の弾性力によってシート側に歪むことを防止できる
加えて、本発明装置では、前記巻掛け伝動装置がチェーンとスプロケットからなるから、巻掛け伝動装置に滑りを生じることなく伝動することができ、偏ることなく均等にシートを回転させることができる。
【図面の簡単な説明】
【図１】本発明広告装置の一実施例を示す正面図
【図２】図１実施例の平面図
【図３】図１実施例の側面図
【図４】他の実施例を示す正面図
【図５】図４実施例の平面図
【図６】図４実施例の側面図
【図７】図４実施例の要部を示す拡大図
【符号の説明】
１　主枠組
２　副枠組
３　上巻取りローラー
４　下巻取りローラー
５，６　軸受部材
７　軸受梁
８，９　両端同調用回転シャフト
１０　正逆回転駆動モーター
１１　Ｔ型ギヤボックス
１２　仲介軸
１３，１４　無端ベルト
１５，１６　無端ベルト
１７，１８　無励磁ブレーキ
１９，２０　撓み止め弾圧ローラー
２１，２２　バネ
２３　シート
２４，２５　シート案内ロール
３０　副枠組
３１　上駆動ローラー
３２　下駆動ローラー
３３，３４　軸受梁
３５　仲介軸
３６，３７　伝動歯車
３８　シート案内ロール
３９　巻掛け伝動装置
４０　チェーン
４１，４２，４３，４４　スプロケット
４５　弾性体
４６　ガイド部材
４７　鳩目孔
４８　ブラケット
４９　掛け孔
５０　掛け具
【図１】
2004004776.tif 000003
【図２】
2004004776.tif 000004
【図３】
2004004776.tif 000005
【図４】
2004004776.tif 000006
【図５】
2004004776.tif 000007
【図６】
2004004776.tif 000008
【図７】
2004004776.tif 000009